(57)【要約】【課題】分散した多数の制御装置のトレンド収集を切り替えることができる監視制御システムの保守装置を提供する。【解決手段】被制御部の制御を行う第一制御装置２Ａから第四制御装置２Ｄを備えた監視制御システム１００であって、第一制御装置２Ａから第四制御装置２Ｄのデータを収集して蓄積する監視制御システム１００の保守装置３において、第一制御装置２Ａから第四制御装置２Ｄのグルーピングを行い複数のグループを設定し、グループ毎に切り替えて第一制御装置２Ａから第四制御装置２Ｄのデータを収集して蓄積するものである。【選択図】図１
2016115174.tif 000002
【特許請求の範囲】
【請求項１】
被制御部の制御を行う制御装置を複数個備えた監視制御システムであって、前記制御装置のデータを収集して蓄積する監視制御システムの保守装置において、
各前記制御装置のグルーピングを行い複数のグループを設定し、前記グループ毎に切り替えて前記制御装置のデータを収集して蓄積する監視制御システムの保守装置。
【請求項２】
各前記制御装置の内、通信可能な前記制御装置を抽出して、前記グループを設定する請求項１に記載の監視制御システムの保守装置。
【請求項３】
各前記制御装置の優先順位に基づいて前記グループを設定する請求項１または請求項２に記載の監視制御システムの保守装置。
【請求項４】
前記制御装置が収集対象から外されているか否かを判断して、前記グループを設定する請求項１から請求項３のいずれか１項に記載の監視制御システムの保守装置。
【請求項５】
前記制御装置から収集したデータを他の前記制御装置に複製する請求項１から請求項４のいずれか１項に記載の監視制御システムの保守装置。
【発明の詳細な説明】
【技術分野】
【０００１】
この発明は、複数の制御装置を有する監視制御システムにおいて、制御装置のデータを収集して蓄積するトレンド収集の収集対象を切り替えることができる監視制御システムの保守装置に関するものである。
【背景技術】
【０００２】
従来の監視制御システムの保守装置は、性能上、保守ツール端末のトレンド収集の性能には限界があるため、１台の制御装置、または、制限された台数の複数の制御装置毎にトレンド収集用の保守装置を準備して、保守装置毎に制御装置のトレンド収集を実施している。
【０００３】
また、複数の監視制御装置の記録データの抜け防止、重複防止、および不要なデータ記録をなくすために切替器を用いて記録対象を切り替えるものである（例えば、特許文献１参照）。
【先行技術文献】
【特許文献】
【０００４】
【特許文献１】特開平１１−３５３００２号公報
【発明の概要】
【発明が解決しようとする課題】
【０００５】
従来の監視制御システムの保守装置によれば、切替器により建屋毎に保守ツール端末を準備する必要があり、また、各建屋の制御装置のトレンドを確認するためには複数の保守ツール端末を操作しなければならないという問題点があった。
【０００６】
この発明は上記のような課題を解決するためになされたものであり、分散した多数の制御装置のトレンド収集を切り替えることができる監視制御システムの保守装置を提供することを目的とする。
【課題を解決するための手段】
【０００７】
この発明の監視制御システムの保守装置は、
被制御部の制御を行う制御装置を複数個備えた監視制御システムであって、前記制御装置のデータを収集して蓄積する監視制御システムの保守装置において、
各前記制御装置のグルーピングを行い複数のグループを設定し、前記グループ毎に切り替えて前記制御装置のデータを収集して蓄積するものである。
【発明の効果】
【０００８】
この発明の監視制御システムの保守装置によれば、
分散した多数の制御装置のトレンド収集を切り替えることができる。
【図面の簡単な説明】
【０００９】
【図１】この発明の実施の形態１における監視制御システムと保守装置との構成を示す図である。
【図２】この発明の実施の形態２における監視制御システムと保守装置との構成を示す図である。
【図３】図２の保守装置が移動した状態の構成を示す図である。
【図４】この発明の実施の形態３における監視制御システムと保守装置との構成を示す図である。
【図５】この発明の実施の形態４における監視制御システムと保守装置との構成を示す図である。
【図６】この発明の実施の形態５における監視制御システムと保守装置との構成を示す図である。
【図７】図６の保守装置が移動した状態の構成を示す図である。
【発明を実施するための形態】
【００１０】
実施の形態１．
以下、本願発明の実施の形態について説明する。図１はこの発明の実施の形態１における監視制御システムと保守装置と構成を示す図である。図において、監視制御システム１００には、被制御部の制御を行う制御装置を複数個、ここでは、第一制御装置２Ａ、第二制御装置２Ｂ、第三制御装置２Ｃおよび第四制御装置２Ｄを備えた例について説明する。そして、第一制御装置２Ａ、第二制御装置２Ｂ、および第三制御装置２Ｃは第一建屋１Ａに配設されている。また、第四制御装置２Ｄは第二建屋１Ｂに配設されている。また、第三建屋１Ｃには第一制御装置２Ａ、第二制御装置２Ｂ、第三制御装置２Ｃおよび第四制御装置２Ｄのデータを収集して蓄積するための保守装置３が配設されている。
【００１１】
そして、第一建屋１Ａ、第二建屋１Ｂおよび第三建屋１Ｃはネットワーク４にて接続されている。すなわち、第一制御装置２Ａ、第二制御装置２Ｂ、第三制御装置２Ｃ、第四制御装置２Ｄおよび保守装置３は、このネットワーク４にそれぞれ接続されており、ネットワーク４を介してデータを授受できるものである。
【００１２】
そして、保守装置３はこのネットワーク４に接続されている第一制御装置２Ａ、第二制御装置２Ｂ、第三制御装置２Ｃ、第四制御装置２Ｄのグルーピングを行い複数のグループを設定する。具体的には、本実施の形態１において保守装置３は、建屋毎に制御装置のグルーピングを行う、よって、第一建屋１Ａの第一制御装置２Ａ、第二制御装置２Ｂ、および第三制御装置２Ｃが１つのグループ、また、第二建屋１Ｂの第四制御装置２Ｄが１つのグループとして設定する。そして、これらグループ毎に切り替えて第一制御装置２Ａ、第二制御装置２Ｂ、第三制御装置２Ｃ、第四制御装置２Ｄのデータを収集して蓄積する。
【００１３】
尚、制御装置、ネットワーク、および建屋の数などはあくまでも一例を示したものであり、これに限られることはない。またこのことは以後に実施の形態においても同様であるためその説明は適宜省略する。
【００１４】
次に、実施の形態１の監視制御システム１００の保守装置３の動作について説明する。まず、保守装置３は、監視制御システム１００の複数に分散した制御装置のトレンド収集を切り替えるために、第一制御装置２Ａ、第二制御装置２Ｂ、第三制御装置２Ｃ、第四制御装置２Ｄのグルーピングを行う。このグルーピングの際、保守装置２は自身の性能の範囲、すなわち一度にアクセス可能な範囲、可能なデータ収集量の範囲などを考慮してグループを設定する。そしてここでは、第一建屋１Ａ、第二建屋１Ｂ毎にてグルーピングを行い、それぞれグループを設定する。そして、これらいずれのグループからデータのトレンド収集を行うかを設定して切り替え、制御装置のデータを収集して蓄積する。
【００１５】
保守装置３が第一建屋１Ａの１つのグループを選択しているときには、第一制御装置２Ａ、第二制御装置２Ｂおよび第三制御装置２Ｃからデータを収集して蓄積する。次に、グループを切り替えて、第二建屋１Ｂとして、第四制御装置２Ｄからデータを収集して蓄積する。
【００１６】
上記のように構成された実施の形態１の監視制御システムの保守装置によれば、保守装置が複数の制御装置において、建屋毎にグルーピングを行い、トレンド収集の収集対象となる制御装置を選択しているため、建屋毎に保守装置を備えることなく、複数の建屋の複数の制御装置のデータのトレンド収集を容易に行うことができる。
【００１７】
実施の形態２．
上記実施の形態１では、１つのネットワーク上に接続され、設置されている建屋の異なる複数の制御装置からトレンド収集の収集対象を選択する場合について述べたが、本実施の形態２では、図２および図３に示すように、第一建屋１Ａに設置されたネットワーク４Ａと第二建屋１Ｂに設置されたネットワーク４Ｂとが接続されていない異なるネットワークの場合について説明する。
【００１８】
図において、上記実施の形態１と同様の部分は同一符号を付して説明を省略する。実施の形態１と異なる構成は先に示した以外に、ネットワーク４Ａに第一制御装置２Ａ、第二制御装置２Ｂ、および第三制御装置２Ｃが接続されており、他のネットワーク４Ｂに第四制御装置２Ｄが接続されている点である。
【００１９】
次に、実施の形態２の監視制御システム１００の保守装置３の動作について説明する。まず、図２に示すように、保守装置３が第一建屋１Ａのネットワーク４Ａに設置されている場合、保守装置３は、グルーピングを行う際に、通信可能な制御装置を抽出、すなわち、第一制御装置２Ａ、第二制御装置２Ｂ、および第三制御装置２Ｃを抽出して、ここではこれらを１つのグループとして設定する。尚、複数のグループに設定することも可能である。そして、保守装置３は、このグループの第一制御装置２Ａ、第二制御装置２Ｂ、および第三制御装置２Ｃをトレンド収集の収集対象として選択して、これらのデータを収集して蓄積する。
【００２０】
そして、図３に示すように、保守装置３を移動させて、第二建屋１Ｂのネットワーク４Ｂに設置すると、保守装置３は、グルーピングを行う際に、通信可能な制御装置を抽出、すなわち、第四制御装置２Ｄを抽出して、これを１つのグループとして設定し、先のグループの第一制御装置２Ａ、第二制御装置２Ｂ、および第三制御装置２Ｃは通信可能でないためトレンド収集を行うための切り替えを行わない。そして、保守装置３は、このグループの第四制御装置２Ｄをトレンド収集の収集対象として選択して、これらのデータを収集して蓄積する。
【００２１】
上記のように構成された実施の形態２の監視制御システムの保守装置によれば、上記実施の形態１と同様の効果を奏するのはもちろんのこと、通信可能か否かを判断しているため、例えば、保守装置がネットワークの異なる箇所に移動しても自動的にグルーピングを行い、制御装置のレンド収集の収集対象を自動で切り替えることができる。また、制御装置が故障または点検により保守装置と通信ができなくなった場合においても、トレンド収集の収集対象が自動で切り替えることができる。
【００２２】
実施の形態３．
図４はこの発明の実施の形態３における監視制御システムと保守装置との構成を示す図である。図において、上記各実施の形態と同様の部分は同一符号を付して説明を省略する。監視制御システム１００は、建屋１に複数の第一制御装置２Ａ、第二制御装置２Ｂ、第三制御装置２Ｃ、第四制御装置２Ｄ・・・および、第Ｎ制御装置２Ｎが配設され、ネットワーク４に接続されている。
【００２３】
そして、保守装置３はネットワーク４に接続されている。そして、保守装置３は、グルーピングを行う際に、複数の第一制御装置２Ａ、第二制御装置２Ｂ、第三制御装置２Ｃ、第四制御装置２Ｄ・・・および、第Ｎ制御装置２Ｎの予め設定された優先順位に従って、グルーピングを行いトレンド収集の収集対象のグループを複数設定する。尚、保守装置３の制御装置のデータを収集して蓄積する動作は上記実施の形態一と同様であるためその説明は適宜省略する。
【００２４】
上記のように構成された実施の形態３の監視制御システムの保守装置によれば、上記実施の形態１と同様の効果を奏するのはもちろんのこと、複数の制御装置の優先順位を考慮にいれてグルーピングを行うため、例えば、優先順位の高い制御装置が故障して通信不可になった場合は、優先順位が次点の制御装置を通信対象として自動選択することができる。
【００２５】
実施の形態４．
図５はこの発明の実施の形態４における監視制御システムと保守装置との構成を示す図である。上記各実施の形態においては、保守装置を監視制御システムに１つ採用する例を示したが、複数の保守装置が採用される場合について説明する。図において、上記各実施の形態と同様の部分は同一符号を付して説明を省略する。第一建屋１Ａに保守装置３Ａが配設されている。また、第二建屋１Ｂに保守装置３Ｂが配設されている。
【００２６】
次に、実施の形態４の監視制御システム１００の保守装置３Ａの動作について説明する。まず、保守装置３Ａはネットワーク４に接続されている設置されている場合、保守装置３の監視制御システムの保守装置は、グルーピングを行う際に、通信可能な制御装置を抽出、すなわち、第一制御装置２Ａ、第二制御装置２Ｂ、第三制御装置２Ｃ、および第四制御装置２Ｄを抽出する。しかしながら、第四制御装置２Ｄは、保守装置３Ｂにて保守されているため、保守装置３Ａに対して保守されることを抑制している。よって、保守装置３Ａは第四制御装置２Ｄを対象から除いて、上記各実施の形態と同様にグルーピングを行い、制御装置のデータを収集して蓄積する。
【００２７】
上記のように構成された実施の形態４の監視制御システムの保守装置によれば、上記各実施の形態と同様の効果を奏するのはもちろんのこと、他の保守装置にて管理されている制御装置、また、他の状態により収集対象を抑止している制御装置を考慮にいれて、トレンド収集の収集対象の制御装置を切り替えることができる。
【００２８】
実施の形態５．
上記各実施の形態においては、保守装置３が蓄積した制御装置のデータについての利用については特に示していないが、本実施の形態５においては、保守装置３が蓄積した制御装置のデータについての利用について説明する。図６および図７はこの発明の実施の形態５における監視制御システムと保守装置との構成を示す図である。図において、上記各実施の形態と同様の部分は同一符号を付して説明を省略する。監視制御システム１００は、第一建屋１Ａに、ネットワーク４Ａに接続された第一制御装置２Ａ、第二制御装置２Ｂ、および第三制御装置２Ｃを備えている。
【００２９】
そして、第二建屋１Ｂに、ネットワーク４Ｂに接続されている、第四制御装置２Ｄ、第五制御装置２Ｅ、および第六制御装置２Ｆを備えている。そして、本実施の形態５においては、第一制御装置２Ａ、第二制御装置２Ｂ、および第三制御装置２Ｃの構成と、第四制御装置２Ｄ、第五制御装置２Ｅ、および第六制御装置２Ｆの構成とが同様の構成にて形成されているものとする。
【００３０】
次に、実施の形態５の監視制御システム１００の保守装置３の動作について説明する。まず、図５に示すように、保守装置３は、上記各実施の形態と同様の方法にて第一建屋１Ａのネットワーク４Ａに接続して、第一制御装置２Ａ、第二制御装置２Ｂ、および第三制御装置２Ｃのデータを収集して蓄積する。そして、図６に示すように、保守装置３は移動して、第二建屋１Ｂのネットワーク４Ｂに接続する。
【００３１】
その際、先ほど収集して蓄積したデータの第一制御装置２Ａ、第二制御装置２Ｂ、および第三制御装置２Ｃの構成と、第四制御装置２Ｄ、第五制御装置２Ｅ、および第六制御装置２Ｆの構成とが同様の構成であるため、第四制御装置２Ｄ、第五制御装置２Ｅ、および第六制御装置２Ｆに第一制御装置２Ａ、第二制御装置２Ｂ、および第三制御装置２Ｃのデータを複製する。そして、その後に、第四制御装置２Ｄ、第五制御装置２Ｅ、および第六制御装置２Ｆのデータを収集して蓄積する。
【００３２】
上記のように構成された実施の形態５の監視制御システムの保守装置によれば、上記各実施の形態と同様の効果を奏するのはもちろんのこと、例えば、トレンド収集の収集対象の制御装置を切り替えるときに、構成が同様の制御装置にデータを複製することができるため、トレンド収集の収集対象を切り替え前の、切り替え後にデータを収集する制御装置内のデータを複製することができる。
【００３３】
尚、本発明は、その発明の範囲内において、各実施の形態を自由に組み合わせたり、各実施の形態を適宜、変形、省略することが可能である。
【符号の説明】
【００３４】
１  建屋、１Ａ  第一建屋、１Ｂ  第二建屋、１Ｃ  第三建屋、２Ａ  第一制御装置、２Ｂ  第二制御装置、２Ｃ  第三制御装置、２Ｄ  第四制御装置、２Ｅ  第五制御装置、２Ｆ  第六制御装置、２Ｎ  第Ｎ制御装置、３  保守装置、４  ネットワーク、
４Ａ  ネットワーク、４Ｂ  ネットワーク。
【図１】
2016115174.tif 000003
【図２】
2016115174.tif 000004
【図３】
2016115174.tif 000005
【図４】
2016115174.tif 000006
【図５】
2016115174.tif 000007
【図６】
2016115174.tif 000008
【図７】
2016115174.tif 000009